(57)【要約】【課題】  廃棄物の含水率を十分に低下させることができる廃棄物処理材を効率よく製造する装置を提供する。【解決手段】  第１刃部５を有する第１カッター２と、第１刃部５に対し交差する方向に形成された第２刃部８を有する第２カッター３とを備え、第１および第２カッター２、３は、木板材１３を第１カッター２と第２カッター３との間に供給することによって、木板材１３の一方および他方の面１３ａ、１３ｂに、木板材１３の破断を促進しうる切り込み１４、１５を形成することができるようにされている。【選択図】    図１
2006075669.tif 000002
【特許請求の範囲】
【請求項１】
第１刃部（５）を有する第１カッター（２）と、前記第１刃部に対し交差する方向に形成された第２刃部（８）を有する第２カッター（３）とを備え、
これら第１および第２カッターは、木板材（１３）を第１カッターと第２カッターとの間に供給することによって、木板材の一方および他方の面（１３ａ、１３ｂ）に、この木板材の破断を促進しうる切り込み（１４、１５）を第１および第２刃部により形成することができるようにされていることを特徴とする廃棄物処理材製造装置（１）。
【発明の詳細な説明】
【技術分野】
【０００１】
本発明は、家畜の糞尿、生ごみ、下水汚泥等の有機廃棄物を発酵分解処理する際に、有機廃棄物の含水率調整などに用いられる廃棄物処理材を製造する装置に関する。
【背景技術】
【０００２】
有機廃棄物を処理する装置としては、有機廃棄物が貯留される廃棄物処理領域と、有機廃棄物を攪拌する攪拌機を有する処理装置を備え、攪拌機を処理領域内で移動させつつ有機廃棄物を攪拌し、発酵分解を促すものがある。処理された有機廃棄物は、堆肥として利用される（特許文献１を参照）。
【特許文献１】特開２００２−１９２１３１号公報
【発明の開示】
【発明が解決しようとする課題】
【０００３】
上記従来技術では、有機廃棄物の含水率が高いと、有機廃棄物が攪拌機に付着して攪拌効率が低下し、有機廃棄物への空気供給が不充分となり発酵効率が低下するおそれがある。
このため、有機廃棄物の含水率を低下させることを目的として、おがくず、粗ぬか、鶏糞などの廃棄物処理材を有機廃棄物に添加することが行われている。
しかしながら、上記廃棄物処理材は、含水率を低下させる効果が低いという問題があった。また、廃棄物処理材に要するコストを低減することが要望されていた。
本発明は、上記事情に鑑みてなされたもので、廃棄物の含水率を十分に低下させることができる廃棄物処理材を低コストで製造する装置を提供することを目的とする。
【課題を解決するための手段】
【０００４】
本発明の廃棄物処理材製造装置は、第１刃部を有する第１カッターと、前記第１刃部に対し交差する方向に形成された第２刃部を有する第２カッターとを備え、これら第１および第２カッターは、木板材を第１カッターと第２カッターとの間に供給することによって、この木板材の一方および他方の面に、木板材の破断を促進しうる切り込みを第１および第２刃部により形成することができるようにされていることを特徴とする。
【発明の効果】
【０００５】
本発明の廃棄物処理材製造装置は、廃棄物の含水率を十分に低下させることができる廃棄物処理材を効率よく製造することができる。また、低コスト化が可能な廃棄物処理材を得ることができる。
【発明を実施するための最良の形態】
【０００６】
図１は、本発明の廃棄物処理材製造装置の一実施形態を示すもので、ここに示す製造装置１は、第１カッター２と第２カッター３とを備えている。
第１カッター２は、軸体４と、その外周面に形成された複数の第１刃部５とを備えている。第１刃部５は、軸体４の周方向に沿って、その全周にわたって形成されている。第１刃部５は、軸体４に対しほぼ垂直に形成されている。これら複数の第１刃部５は、軸体４の軸方向に間隔をおいて形成されている。
第２カッター３は、軸体４にほぼ平行な軸体７と、その外周面に形成された複数の第２刃部８とを備えている。第２刃部８は、軸体７の軸方向に沿って、外周面の接線に対しほぼ垂直に形成されている。これら複数の第２刃部８は、軸体７の周方向に間隔をおいて形成されている。なお、第２刃部８は、第１刃部５に対し垂直に限らず、第１刃部５に対し交差する方向に形成されていればよい。
図２および図３は、木材を切断する鋸機械を示すもので、この鋸機械は、回転軸９と、回転軸９に対し垂直に設けられた丸鋸１０とを有する。丸鋸１０は複数設け、これら複数の丸鋸１０を回転軸９の軸方向に間隔をおいて設けるのが好ましい。
【０００７】
次に、廃棄物処理材を製造する方法の一例を説明する。
図２および図３に示すように、長さ方向に沿って木目１２が形成された長尺の木材１１を丸鋸１０を用いて挽材する。これによって、木材１１は木目１２に対しほぼ垂直な方向に切断され、木目１２が厚さ方向に形成された木板材１３が得られる。
図１に示すように、モータ１４を駆動し、これに連動する第１カッター２および第２カッター３を回転させつつ、木板材１３を、第１カッター２と第２カッター３との間に供給する。木板材１３は、カッター２、３の軸体４、７に対しほぼ垂直な方向に供給する。
木板材１３は、第１カッター２と第２カッター３とに挟み込まれ、第１カッター２の第１刃部５により木板材１３の一方の面１３ａに、軸体４に対しほぼ垂直な方向の直線状の切り込み１４が形成される。木板材１３の他方の面１３ｂには、第２カッター３の第２刃部８により、切り込み１４に対しほぼ垂直な方向（軸体７に沿う方向）の直線状の切り込み１５が形成される。
木板材１３は、木目１２に沿って厚さ方向に破断しやすくなっているため、厚さ方向の力を加えることによって、木板材１３を切り込み１４、１５に沿って破断させ、切り込み１４、１５によって分割されたブロック状の廃棄物処理材１７を得ることができる。
【０００８】
次に、廃棄物処理材１７を使用する方法の一例を説明する。
図４に示すように、貯留槽２０には、原料ホッパ２１から搬入コンベア２２、分配コンベア２３を経て有機廃棄物Ｍが供給されるとともに、廃棄物処理材１７が供給される。
攪拌機２４のスクリュー２５を回転させることによって、有機廃棄物Ｍおよび廃棄物処理材１７は掻き揚げられ、攪拌される。
有機廃棄物Ｍに含まれる水分の一部は廃棄物処理材１７に吸収されるため、有機廃棄物Ｍの含水率を低下させることができる。
攪拌機２４によって貯留槽２０の中央側に移動され、貯留槽２０の内壁付近に達した有機廃棄物Ｍおよび廃棄物処理材１７は、搬送コンベア２６によって搬出され、処理材分離部２７の篩網２８内に導入される。
有機廃棄物Ｍは篩網２８を通過し、シュート２９を経て集積部３０に集められ、搬出路３１、３２を経て系外に搬出される。この有機廃棄物Ｍ（処理物）は、堆肥として利用できる。
一方、廃棄物処理材１７は、篩網２８を通過せず、篩網２８内に回収される。すなわち、廃棄物処理材１７は篩い分けにより有機廃棄物Ｍから分離される。
回収された廃棄物処理材１７は、処理材供給部３３の搬出コンベア３４によって搬送され、搬送過程で再び貯留槽２０に供給される。
【０００９】
上記廃棄物処理材製造装置では、木板材１３をカッター２、３間に供給することによって、木板材１３に、木板材１３の破断を促進しうる切り込み１４、１５を形成することができる。このため、木板材１３が切り込み１４、１５に沿って分割された廃棄物処理材１７を容易に製造することができる。従って、有機廃棄物Ｍの低含水率化に効果的な廃棄物処理材１７を効率よく製造することができる。
また、篩網２８によって回収可能な大型の廃棄物処理材１７を製造することによって、廃棄物処理材１７の再利用を可能とし、廃棄物処理材１７に要するコストを抑えることができる。
【図面の簡単な説明】
【００１０】
【図１】本発明の廃棄物処理材製造装置の一例を示す概略構成図である。
【図２】木板材の製造に用いられる鋸機械を示す概略構成図である。
【図３】図２に示す鋸機械の要部を示す斜視図である。
【図４】本発明の製造装置の一例によって製造された廃棄物処理材を適用可能な廃棄物処理装置の概略構成図である。
【符号の説明】
【００１１】
１…廃棄物処理材製造装置、２…第１カッター、３…第２カッター、５…第１刃部、８…第２刃部、１３…木板材、１３ａ…木板材の一方の面、１３ｂ…木板材の他方の面、１４、１５…切り込み、１７…廃棄物処理材
【図１】
2006075669.tif 000003
【図２】
2006075669.tif 000004
【図３】
2006075669.tif 000005
【図４】
2006075669.tif 000006